(57)【要約】【課題】無線通信システムにおける端末が、特定セルがＲＡＮベースの通知領域に属するかどうかを決定する方法及びこれをサポートする装置が提供される。【解決手段】複数のセルを含む領域のＩＤまたはセルＩＤのうち少なくともいずれか一つを含むＲＡＮベースの通知領域に対する設定をネットワークから受信するステップ、特定セルのＩＤ及び特定セルを含む領域のＩＤを含むシステム情報を特定セルから受信するステップ、及び、ＲＡＮベースの通知領域に対する設定及びシステム情報に基づいて、特定セルがＲＡＮベースの通知領域に属するかどうかを決定するステップを含む。【選択図】図７
2019534654.tif 000002
【特許請求の範囲】
【請求項１】
無線通信システムにおける端末が、特定セルがＲＡＮベースの通知領域に属するかどうかを決定する方法において、
複数のセルを含む領域のＩＤまたはセルＩＤのうち少なくともいずれか一つを含むＲＡＮベースの通知領域に対する設定をネットワークから受信するステップと、
前記特定セルのＩＤ及び前記特定セルを含む領域のＩＤを含むシステム情報を前記特定セルから受信するステップと、
前記ＲＡＮベースの通知領域に対する設定及び前記システム情報に基づいて、前記特定セルが前記ＲＡＮベースの通知領域に属するかどうかを決定するステップと、を含むことを特徴とする、方法。
【請求項２】
前記システム情報に含まれている前記特定セルのＩＤまたは前記特定セルを含む領域のＩＤのうち少なくともいずれか一つが前記ＲＡＮベースの通知領域に対する設定に含まれる場合、前記特定セルは、前記ＲＡＮベースの通知領域に属すると決定される、請求項１に記載の方法。
【請求項３】
前記システム情報に含まれている前記特定セルのＩＤ及び前記特定セルを含む領域のＩＤが前記ＲＡＮベースの通知領域に対する設定に含まれない場合、前記特定セルは、前記ＲＡＮベースの通知領域に属しないと決定される、請求項１に記載の方法。
【請求項４】
ＲＡＮベースの通知領域アップデート手順を開始するステップをさらに含む、請求項３に記載の方法。
【請求項５】
前記ＲＡＮベースの通知領域に属しないことを前記ネットワークに知らせるステップをさらに含む、請求項４に記載の方法。
【請求項６】
前記ＲＡＮベースの通知領域に対する設定が前記複数のセルを含む領域のＩＤ及び前記領域に属するセルＩＤを含み、前記システム情報に含まれている前記特定セルのＩＤ及び前記特定セルを含む領域のＩＤが前記ＲＡＮベースの通知領域に対する設定に含まれる場合、前記特定セルは、前記ＲＡＮベースの通知領域に属すると決定される、請求項１に記載の方法。
【請求項７】
前記ＲＡＮベースの通知領域に対する設定が前記複数のセルを含む領域のＩＤ及び前記領域に属するセルＩＤを含み、前記システム情報に含まれている前記特定セルのＩＤまたは前記特定セルを含む領域のＩＤのうち少なくともいずれか一つが前記ＲＡＮベースの通知領域に対する設定に含まれない場合、前記特定セルは、前記ＲＡＮベースの通知領域に属しないと決定される、請求項１に記載の方法。
【請求項８】
前記端末が前記特定セルでセル再選択を実行する場合、前記システム情報は、前記特定セルから受信される、請求項１に記載の方法。
【請求項９】
前記端末が前記特定セルでセル再選択を実行する以前に、前記システム情報は、前記特定セルから受信される、請求項１に記載の方法。
【請求項１０】
前記特定セルは、サービングセル、隣接セルまたはターゲットセルのうち少なくともいずれか一つである、請求項１に記載の方法。
【請求項１１】
前記端末は、ＲＲＣ＿ＩＮＡＣＴＩＶＥ状態である、請求項１に記載の方法。
【請求項１２】
前記複数のセルを含む領域は、ＣＮベースの通知領域である、請求項１に記載の方法。
【請求項１３】
無線通信システムにおける特定セルがＲＡＮベースの通知領域に属するかどうかを決定する端末において、
メモリと、送受信機と、前記メモリと前記送受信機を連結するプロセッサと、を含み、前記プロセッサは、
前記送受信機が複数のセルを含む領域のＩＤまたはセルＩＤのうち少なくともいずれか一つを含むＲＡＮベースの通知領域に対する設定をネットワークから受信するように制御し、
前記送受信機が前記特定セルのＩＤ及び前記特定セルを含む領域のＩＤを含むシステム情報を前記特定セルから受信するように制御し、及び
前記ＲＡＮベースの通知領域に対する設定及び前記システム情報に基づいて、前記特定セルが前記ＲＡＮベースの通知領域に属するかどうかを決定するように構成されることを特徴とする端末。
【請求項１４】
前記システム情報に含まれている前記特定セルのＩＤまたは前記特定セルを含む領域のＩＤのうち少なくともいずれか一つが前記ＲＡＮベースの通知領域に対する設定に含まれる場合、前記特定セルは、前記ＲＡＮベースの通知領域に属すると決定される、請求項１３に記載の端末。
【請求項１５】
前記システム情報に含まれている前記特定セルのＩＤ及び前記特定セルを含む領域のＩＤが前記ＲＡＮベースの通知領域に対する設定に含まれない場合、前記特定セルは、前記ＲＡＮベースの通知領域に属しないと決定される、請求項１３に記載の端末。
【発明の詳細な説明】
【技術分野】
【０００１】
本発明は、無線通信システムに関し、より詳しくは、ＲＡＮベースの通知領域（ＲＡＮ  ｂａｓｅｄ  ｎｏｔｉｆｉｃａｔｉｏｎ  ａｒｅａ）を設定する方法及びこれをサポートする装置に関する。
【背景技術】
【０００２】
４Ｇ（４ｔｈ−Ｇｅｎｅｒａｔｉｏｎ）通信システム商用化以後、増加する無線データトラフィック需要を満たすために、改善された５Ｇ（５ｔｈ−Ｇｅｎｅｒａｔｉｏｎ）通信システムまたはｐｒｅ−５Ｇ通信システムを開発するための努力が行われている。このような理由で、５Ｇ通信システムまたはｐｒｅ−５Ｇ通信システムは、４Ｇネットワーク以後（ｂｅｙｏｎｄ  ４Ｇ  ｎｅｔｗｏｒｋ）通信システムまたはＬＴＥ（ｌｏｎｇ  ｔｅｒｍ  ｅｖｏｌｕｔｉｏｎ）システム以後（ｐｏｓｔ  ＬＴＥ）以後のシステムと呼ばれている。
【０００３】
ＮＲ標準化議論で、ＲＲＣ状態は、ＲＲＣ＿ＣＯＮＮＥＣＴＥＤ状態とＲＲＣ＿ＩＤＬＥ状態を基本にして定義し、追加でＲＲＣ＿ＩＮＡＣＴＩＶＥ状態を導入した。ＲＲＣ＿ＩＮＡＣＴＩＶＥ状態の端末は、電力消耗を減らすためにＲＲＣ＿ＩＤＬＥ状態と類似する形態の無線制御手順を実行する。しかし、ＲＲＣ＿ＩＮＡＣＴＩＶＥ状態の端末は、ＲＲＣ＿ＣＯＮＮＥＣＴＥＤ状態に遷移する時に所要される制御手順を最小化するために端末とネットワークとの間の連結状態をＲＲＣ＿ＣＯＮＮＥＣＴＥＤ状態と類似するように維持する。
【発明の概要】
【発明が解決しようとする課題】
【０００４】
一方、ＣＮベースの通知領域（Ｃｏｒｅ  Ｎｅｔｗｏｒｋ  ｂａｓｅｄ  ｎｏｔｉｆｉｃａｔｉｏｎ  ａｒｅａ）のＩＤ（ａｒｅａｉｄｅｎｔｉｔｙ）がＲＡＮベースの通知領域（ＲＡＮ  ｂａｓｅｄ  ｎｏｔｉｆｉｃａｔｉｏｎ  ａｒｅａ）を設定（ｃｏｎｆｉｇｕｒｅ）するために使われると、ＣＮベースの通知領域のＩＤは、非常に広い領域をカバーするため、ＲＡＮベースの通知領域を柔軟に設定することができない。それに対し、セルＩＤがＲＡＮページング領域を設定するために使われると、ネットワークが端末特定ＲＡＮページング領域を割り当てる時、数百個のセルを端末にシグナリングしなければならないため、好ましくない。したがって、ＲＡＮベースの通知領域を柔軟に設定するために新しいＩＤが導入される必要がある。
【課題を解決するための手段】
【０００５】
一実施例において、無線通信システムにおける端末が、特定セルがＲＡＮベースの通知領域（ｒａｄｉｏ  ａｃｃｅｓｓ  ｎｅｔｗｏｒｋ  ｂａｓｅｄ  ｎｏｔｉｆｉｃａｔｉｏｎ  ａｒｅａ）に属するかどうかを決定する方法が提供される。前記方法は、複数のセルを含む領域のＩＤまたはセルＩＤのうち少なくともいずれか一つを含むＲＡＮベースの通知領域に対する設定（ｃｏｎｆｉｇｕｒａｔｉｏｎ）をネットワークから受信するステップ、前記特定セルのＩＤ及び前記特定セルを含む領域のＩＤを含むシステム情報（ｓｙｓｔｅｍ  ｉｎｆｏｒｍａｔｉｏｎ）を前記特定セルから受信するステップ、及び、前記ＲＡＮベースの通知領域に対する設定及び前記システム情報に基づいて、前記特定セルが前記ＲＡＮベースの通知領域に属するかどうかを決定するステップを含む。
【０００６】
他の実施例において、無線通信システムにおける特定セルがＲＡＮベースの通知領域（ｒａｄｉｏ  ａｃｃｅｓｓ  ｎｅｔｗｏｒｋ  ｂａｓｅｄ  ｎｏｔｉｆｉｃａｔｉｏｎ  ａｒｅａ）に属するかどうかを決定する端末が提供される。前記端末は、メモリ、受信機、及び、前記メモリと前記送受信機を連結するプロセッサを含み、前記プロセッサは、前記送受信機が複数のセルを含む領域のＩＤまたはセルＩＤのうち少なくともいずれか一つを含むＲＡＮベースの通知領域に対する設定（ｃｏｎｆｉｇｕｒａｔｉｏｎ）をネットワークから受信するように制御し、前記送受信機が前記特定セルのＩＤ及び前記特定セルを含む領域のＩＤを含むシステム情報（ｓｙｓｔｅｍ  ｉｎｆｏｒｍａｔｉｏｎ）を前記特定セルから受信するように制御し、及び前記ＲＡＮベースの通知領域に対する設定及び前記システム情報に基づいて、前記特定セルが前記ＲＡＮベースの通知領域に属するかどうかを決定するように構成される。
【発明の効果】
【０００７】
ＲＡＮベースの通知領域が柔軟に設定されることができる。
【図面の簡単な説明】
【０００８】
【図１】ＬＴＥシステム構造を示す。
【図２】制御平面に対するＬＴＥシステムの無線インターフェースプロトコルを示す。
【図３】ユーザ平面に対するＬＴＥシステムの無線インターフェースプロトコルを示す。
【図４】５Ｇシステムの構造を示す。
【図５】本発明の一実施例によって、端末が、特定セルがＲＡＮベースの通知領域に属するかどうかを確認する手順を示す。
【図６】本発明の一実施例によって、端末が、特定セルがＲＡＮベースの通知領域に属するかどうかを確認する手順を説明するための図面である。
【図７】本発明の一実施例によって、端末が、特定セルがＲＡＮベースの通知領域に属するかどうかを決定する方法を示すブロック図である。
【図８】本発明の実施例が具現される無線通信システムのブロック図である。
【発明を実施するための形態】
【０００９】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。 ５Ｇ通信システムは、 ＬＴＥ−Ａの進化である。
【００１０】
説明を明確にするために、ＬＴＥ−Ａを中心に記述するが、本発明の技術的思想がこれに制限されるものではない。
【００１１】
図１は、ＬＴＥシステム構造を示す。通信ネットワークは、ＩＭＳ（ＩＰ  ｍｕｌｔｉｍｅｄｉａ  ｓｕｂｓｙｓｔｅｍ）を介したＶｏＩＰ（ｖｏｉｃｅ  ｏｖｅｒ  ＩＰ）及びパケットデータのような多様な通信サービスを提供するために広範囲に配置される。
【００１２】
図１を参照すると、ＬＴＥシステム構造は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（ｅｖｏｌｖｅｄ  ｐａｃｋｅｔ  ｃｏｒｅ）及び一つ以上の端末（ＵＥ；ｕｓｅｒ  ｅｑｕｉｐｍｅｎｔ）１０を含む。ＵＥ１０は、ユーザにより運搬される通信装置を示す。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）または無線装置（ｗｉｒｅｌｅｓｓ  ｄｅｖｉｃｅ）などと呼ばれることもある。
【００１３】
Ｅ−ＵＴＲＡＮは、一つ以上のｅＮＢ（ｅｖｏｌｖｅｄ  ｎｏｄｅ−Ｂ）２０を含むことができ、一つのセルに複数の端末が存在できる。ｅＮＢ２０は、制御平面（ｃｏｎｔｒｏｌ  ｐｌａｎｅ）とユーザ平面（ｕｓｅｒ  ｐｌａｎｅ）の終端点を端末に提供する。ｅＮＢ２０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｅＮＢ２０は、セル毎に配置されることができる。ｅＮＢ２０のカバレッジ内に一つ以上のセルが存在できる。一つのセルは、１．２５、２．５、５、１０及び２０ＭＨｚなどの帯域幅のうち一つを有するように設定され、複数の端末にダウンリンク（ＤＬ；ｄｏｗｎｌｉｎｋ）またはアップリンク（ＵＬ；ｕｐｌｉｎｋ）送信サービスを提供することができる。このとき、互いに異なるセルは、互いに異なる帯域幅を提供するように設定されることができる。
【００１４】
以下、ダウンリンク（ＤＬ；ｄｏｗｎｌｉｎｋ）は、ｅＮＢ２０からＵＥ１０への通信を示し、アップリンク（ＵＬ；ｕｐｌｉｎｋ）は、ＵＥ１０からｅＮＢ２０への通信を示す。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。
【００１５】
ＥＰＣは、制御平面の機能を担当するＭＭＥ（ｍｏｂｉｌｉｔｙ  ｍａｎａｇｅｍｅｎｔ  ｅｎｔｉｔｙ）、ユーザ平面の機能を担当するＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含むことができる。ＭＭＥ／Ｓ−ＧＷ３０は、ネットワークの端に位置でき、外部ネットワークと連結される。ＭＭＥは、端末の接続情報や端末の能力に対する情報を有し、このような情報は、主に端末の移動性管理に使われることができる。Ｓ−ＧＷは、Ｅ−ＵＴＲＡＮを終端点として有するゲートウェイである。ＭＭＥ／Ｓ−ＧＷ３０は、セッションの終端点と移動性管理機能を端末１０に提供する。ＥＰＣは、ＰＤＮ（ｐａｃｋｅｔ  ｄａｔａ  ｎｅｔｗｏｒｋ）−ＧＷ（ｇａｔｅｗａｙ）をさらに含むことができる。ＰＤＮ−ＧＷは、ＰＤＮを終端点として有するゲートウェイである。
【００１６】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードである端末のために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：地震／津波警報システム（ＥＴＷＳ）及び常用モバイル警報システム（ＣＭＡＳ）を含む）メッセージ送信サポートなどの多様な機能を提供する。Ｓ−ＧＷホストは、ユーザ別基盤パケットフィルタリング（例えば、深層パケット検査を介して）、合法的な遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲに基づくＤＬ等級強制の各種機能を提供する。明確性のためにＭＭＥ／Ｓ−ＧＷ３０は、“ゲートウェイ”と単純に表現し、これはＭＭＥ及びＳ−ＧＷを両方とも含むことができる。
【００１７】
ユーザトラフィック送信または制御トラフィック送信のためのインターフェースが使われることができる。端末１０及びｅＮＢ２０は、Ｕｕインターフェースにより連結されることができる。ｅＮＢ２０は、Ｘ２インターフェースにより相互間連結されることができる。隣接したｅＮＢ２０は、Ｘ２インターフェースによる網型ネットワーク構造を有することができる。ｅＮＢ２０は、Ｓ１インターフェースによりＥＰＣと連結されることができる。ｅＮＢ２０は、Ｓ１−ＭＭＥインターフェースによりＥＰＣと連結されることができ、Ｓ１−ＵインターフェースによりＳ−ＧＷと連結されることができる。Ｓ１インターフェースは、ｅＮＢ２０とＭＭＥ／Ｓ−ＧＷ３０との間に多対多関係（ｍａｎｙ−ｔｏ−ｍａｎｙ−ｒｅｌａｔｉｏｎ）をサポートする。
【００１８】
ｅＮＢ２０は、ゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）の間にゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬで端末１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で連結移動性制御機能を実行することができる。前記言及のように、ゲートウェイ３０は、ＥＰＣでページング開始、ＬＴＥアイドル状態管理、ユーザ平面の暗号化、ＳＡＥベアラ制御及びＮＡＳシグナリングの暗号化と無欠性保護機能を実行することができる。
【００１９】
図２は、制御平面に対するＬＴＥシステムの無線インターフェースプロトコルを示す。図３は、ユーザ平面に対するＬＴＥシステムの無線インターフェースプロトコルを示す。
【００２０】
端末とＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいてＬ１（第１の階層）、Ｌ２（第２の階層）及びＬ３（第３の階層）に区分される。端末とＥ−ＵＴＲＡＮとの間の無線インターフェースプロトコルは、水平的に物理階層、データリンク階層（ｄａｔａｌｉｎｋ  ｌａｙｅｒ）、及びネットワーク階層（ｎｅｔｗｏｒｋ  ｌａｙｅｒ）に区分されることができ、垂直的に制御信号送信のためのプロトコルスタック（ｐｒｏｔｏｃｏｌ  ｓｔａｃｋ）である制御平面（ｃｏｎｔｒｏｌ  ｐｌａｎｅ）とデータ情報送信のためのプロトコルスタックであるユーザ平面（ｕｓｅｒ  ｐｌａｎｅ）とに区分されることができる。無線インターフェースプロトコルの階層は、端末とＥ−ＵＴＲＡＮで対（ｐａｉｒ）で存在でき、これはＵｕインターフェースのデータ送信を担当することができる。
【００２１】
物理階層（ＰＨＹ；ｐｈｙｓｉｃａｌ  ｌａｙｅｒ）は、Ｌ１に属する。物理階層は、物理チャネルを介して上位階層に情報送信サービスを提供する。物理階層は、上位階層であるＭＡＣ（ｍｅｄｉａ  ａｃｃｅｓｓ  ｃｏｎｔｒｏｌ）階層とトランスポートチャネル（ｔｒａｎｓｐｏｒｔ  ｃｈａｎｎｅｌ）を介して連結される。物理チャネルは、トランスポートチャネルにマッピングされる。トランスポートチャネルを介してＭＡＣ階層と物理階層との間にデータが送信されることができる。互いに異なる物理階層間、即ち、送信機の物理階層と受信機の物理階層との間のデータは、物理チャネルを介して無線リソースを利用して送信されることができる。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を利用して変調されることができ、時間と周波数を無線リソースとして活用する。
【００２２】
物理階層は、いくつかの物理制御チャネル（ｐｈｙｓｉｃａｌ  ｃｏｎｔｒｏｌ  ｃｈａｎｎｅｌ）を使用する。ＰＤＣＣＨ（ｐｈｙｓｉｃａｌ  ｄｏｗｎｌｉｎｋ  ｃｏｎｔｒｏｌ  ｃｈａｎｎｅｌ）は、ＰＣＨ（ｐａｇｉｎｇ  ｃｈａｎｎｅｌ）及びＤＬ−ＳＣＨ（ｄｏｗｎｌｉｎｋ  ｓｈａｒｅｄ  ｃｈａｎｎｅｌ）のリソース割当、ＤＬ−ＳＣＨと関連するＨＡＲＱ（ｈｙｂｒｉｄ  ａｕｔｏｍａｔｉｃ  ｒｅｐｅａｔ  ｒｅｑｕｅｓｔ）情報に対して端末に報告する。ＰＤＣＣＨは、アップリンク送信のリソース割当に対して端末に報告するためにアップリンクグラントを伝送することができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、ＰＤＣＣＨのために使われるＯＦＤＭシンボルの個数を端末に知らせ、全てのサブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、ＵＬ−ＳＣＨ送信に対するＨＡＲＱ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）信号を伝送する。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信のためのＨＡＲＱ  ＡＣＫ／ＮＡＣＫ、スケジューリング要求及びＣＱＩのようなＵＬ制御情報を伝送する。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を伝送する。
【００２３】
物理チャネルは、時間領域で複数のサブフレーム（ｓｕｂｆｒａｍｅ）と周波数領域で複数の副搬送波（ｓｕｂｃａｒｒｉｅｒ）で構成される。一つのサブフレームは、時間領域で複数のシンボルで構成される。一つのサブフレームは、複数のリソースブロック（ＲＢ；ｒｅｓｏｕｒｃｅ  ｂｌｏｃｋ）で構成される。一つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの最初のシンボルがＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。サブフレーム一つの長さは、１ｍｓである。
【００２４】
トランスポートチャネルは、チャネルが共有されるかどうかによって共通トランスポートチャネル及び専用トランスポートチャネルに分類される。ネットワークから端末にデータを送信するＤＬトランスポートチャネル（ＤＬ  ｔｒａｎｓｐｏｒｔ  ｃｈａｎｎｅｌ）は、システム情報を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビームフォーミングの使用を可能にすることができる。システム情報は、一つ以上のシステム情報ブロックを伝送する。全てのシステム情報ブロックは、同じ周期に送信されることができる。ＭＢＭＳ（ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。
【００２５】
端末からネットワークにデータを送信するＵＬトランスポートチャネルは、初期制御メッセージ（ｉｎｉｔｉａｌ  ｃｏｎｔｒｏｌ  ｍｅｓｓａｇｅ）を送信するＲＡＣＨ（ｒａｎｄｏｍ  ａｃｃｅｓｓ  ｃｈａｎｎｅｌ）、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビームフォーミングの使用を可能にすることができる。ＲＡＣＨは、一般的にセルへの初期接続に使われる。
【００２６】
Ｌ２に属するＭＡＣ階層は、論理チャネル（ｌｏｇｉｃａｌ  ｃｈａｎｎｅｌ）を介して上位階層であるＲＬＣ（ｒａｄｉｏ  ｌｉｎｋ  ｃｏｎｔｒｏｌ）階層にサービスを提供する。ＭＡＣ階層は、複数の論理チャネルから複数のトランスポートチャネルへのマッピング機能を提供する。また、ＭＡＣ階層は、複数の論理チャネルから単数のトランスポートチャネルへのマッピングによる論理チャネル多重化機能を提供する。ＭＡＣ副階層は、論理チャネル上のデータ送信サービスを提供する。
【００２７】
論理チャネルは、送信される情報の種類によって、制御平面の情報伝達のための制御チャネルとユーザ平面の情報伝達のためのトラフィックチャネルとに分けられる。即ち、論理チャネルタイプのセットは、ＭＡＣ階層により提供される他のデータ送信サービスのために定義される。論理チャネルは、トランスポートチャネルの上位に位置してトランスポートチャネルにマッピングされる。
【００２８】
制御チャネルは、制御平面の情報伝達のみのために使われる。ＭＡＣ階層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのダウンリンクチャネルである。ＰＣＣＨは、ページング情報の送信及びセル単位の位置がネットワークに知られていない端末をページングするために使われるダウンリンクチャネルである。ＣＣＣＨは、ネットワークとＲＲＣ接続を有しないとき、端末により使われる。ＭＣＣＨは、ネットワークから端末にＭＢＭＳ制御情報を送信するのに使われる一対多のダウンリンクチャネルである。ＤＣＣＨは、ＲＲＣ接続状態で端末とネットワークとの間に専用制御情報送信のために端末により使われる一対一の双方向チャネルである。
【００２９】
トラフィックチャネルは、ユーザ平面の情報伝達のみのために使われる。ＭＡＣ階層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００３０】
論理チャネルとトランスポートチャネルとの間のアップリンク連結は、ＵＬ−ＳＣＨにマッピングされることができるＤＣＣＨ、ＵＬ−ＳＣＨにマッピングされることができるＤＴＣＨ、及びＵＬ−ＳＣＨにマッピングされることができるＣＣＣＨを含む。論理チャネルとトランスポートチャネルとの間のダウンリンク連結は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ、及びＭＣＨにマッピングされることができるＭＴＣＨを含む。
【００３１】
ＲＬＣ階層は、Ｌ２に属する。ＲＬＣ階層の機能は、下位階層がデータの送信に適するように無線セクションで上位階層から受信されたデータの分割／連接によるデータの大きさ調整を含む。無線ベアラ（ＲＢ；ｒａｄｉｏ  ｂｅａｒｅｒ）が要求する多様なＱｏＳを保障するために、ＲＬＣ階層は、透明モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）の三つの動作モードを提供する。ＡＭ  ＲＬＣは、信頼性のあるデータ送信のためにＡＲＱ（ａｕｔｏｍａｔｉｃ  ｒｅｐｅａｔ  ｒｅｑｕｅｓｔ）を介して再送信機能を提供する。一方、ＲＬＣ階層の機能は、ＭＡＣ階層内部の機能ブロックで具現されることができ、このとき、ＲＬＣ階層は、存在しないこともある。
【００３２】
ＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって無線セクションで送信効率を上げる。さらに、ＰＤＣＰ階層は、セキュリティ機能を提供する。セキュリティ機能は、第３者の検査を防止する暗号化及び第３者のデータ操作を防止する無欠性保護を含む。
【００３３】
ＲＲＣ（ｒａｄｉｏ  ｒｅｓｏｕｒｃｅ  ｃｏｎｔｒｏｌ）階層は、Ｌ３に属する。Ｌ３の最も下段部分に位置するＲＲＣ階層は、制御平面でのみ定義される。ＲＲＣ階層は、端末とネットワークとの間の無線リソースを制御する役割を実行する。そのために、端末とネットワークは、ＲＲＣ階層を介してＲＲＣメッセージを交換する。ＲＲＣ階層は、ＲＢの構成（ｃｏｎｆｉｇｕｒａｔｉｏｎ）、再構成（ｒｅ−ｃｏｎｆｉｇｕｒａｔｉｏｎ）、及び解除（ｒｅｌｅａｓｅ）と関連して論理チャネル、トランスポートチャネル、及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるということは、特定サービスを提供するために無線プロトコル階層及びチャネルの特性を規定し、各々の具体的なパラメータ及び動作方法を決定することを意味する。ＲＢは、ＳＲＢ（ｓｉｇｎａｌｉｎｇ  ＲＢ）とＤＲＢ（ｄａｔａ  ＲＢ）の二つに区分されることができる。ＳＲＢは、制御平面でＲＲＣメッセージを送信する通路として使われ、ＤＲＢは、ユーザ平面でユーザデータを送信する通路として使われる。
【００３４】
ＲＲＣ階層の上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を実行する。
【００３５】
図２を参照すると、ＲＬＣ及びＭＡＣ階層（ネットワーク側でｅＮＢで終了）は、スケジューリング、ＡＲＱ及びＨＡＲＱのような機能を実行することができる。ＲＲＣ階層（ネットワーク側でｅＮＢで終了）は、放送、ページング、ＲＲＣ接続管理、ＲＢ制御、移動性機能及び端末測定報告／制御のような機能を実行することができる。ＮＡＳ制御プロトコル（ネットワーク側でゲートウェイのＭＭＥで終了）は、ＳＡＥベアラ管理、認証、ＬＴＥ＿ＩＤＬＥ移動性ハンドリング、ＬＴＥ＿ＩＤＬＥでページング開始及び端末とゲートウェイとの間のシグナリングのためのセキュリティ制御のような機能を実行することができる。
【００３６】
図３を参照すると、ＲＬＣ及びＭＡＣ階層（ネットワーク側でｅＮＢで終了）は、制御平面での機能と同じ機能を実行することができる。ＰＤＣＰ階層（ネットワーク側でｅＮＢで終了）は、ヘッダ圧縮、無欠性保護及び暗号化のようなユーザ平面機能を実行することができる。
【００３７】
以下、端末のＲＲＣ状態（ＲＲＣ  ｓｔａｔｅ）とＲＲＣ接続方法に対して詳述する。
【００３８】
ＲＲＣ状態は、端末のＲＲＣ階層がＥ−ＵＴＲＡＮのＲＲＣ階層と論理的に連結されているかどうかを指示する。ＲＲＣ状態は、ＲＲＣ接続状態（ＲＲＣ＿ＣＯＮＮＥＣＴＥＤ）及びＲＲＣアイドル状態（ＲＲＣ＿ＩＤＬＥ）のように二つに分けられる。端末のＲＲＣ階層とＥ−ＵＴＲＡＮのＲＲＣ階層との間のＲＲＣ接続が設定されている時、端末は、ＲＲＣ接続状態になり、そうでない場合、端末は、ＲＲＣアイドル状態になる。ＲＲＣ＿ＣＯＮＮＥＣＴＥＤの端末は、Ｅ−ＵＴＲＡＮとＲＲＣ接続が設定されているため、Ｅ−ＵＴＲＡＮは、ＲＲＣ＿ＣＯＮＮＥＣＴＥＤの端末の存在を把握することができ、端末を効果的に制御することができる。一方、Ｅ−ＵＴＲＡＮは、ＲＲＣ＿ＩＤＬＥの端末を把握することができず、核心ネットワーク（ＣＮ；ｃｏｒｅ  ｎｅｔｗｏｒｋ）がセルより大きい領域であるトラッキング領域（ｔｒａｃｋｉｎｇ  ａｒｅａ）単位で端末を管理する。即ち、ＲＲＣ＿ＩＤＬＥの端末は、より大きい領域の単位で存在のみが把握され、音声またはデータ通信のような通常の移動通信サービスを受けるために、端末は、ＲＲＣ＿ＣＯＮＮＥＣＴＥＤに遷移しなければならない。
【００３９】
ＲＲＣ＿ＩＤＬＥ状態で、端末がＮＡＳにより設定されたＤＲＸ（ｄｉｓｃｏｎｔｉｎｕｏｕｓ  ｒｅｃｅｐｔｉｏｎ）を指定する間に、端末は、システム情報及びページング情報の放送を受信することができる。そして、端末は、トラッキング領域で端末を固有に指定するＩＤ（ｉｄｅｎｔｉｆｉｃａｔｉｏｎ）の割当を受け、ＰＬＭＮ（ｐｕｂｌｉｃ  ｌａｎｄ  ｍｏｂｉｌｅ  ｎｅｔｗｏｒｋ）選択及びセル再選択を実行することができる。また、ＲＲＣ＿ＩＤＬＥ状態で、どのようなＲＲＣ  ｃｏｎｔｅｘｔもｅＮＢに格納されない。
【００４０】
ＲＲＣ＿ＣＯＮＮＥＣＴＥＤ状態で、端末は、Ｅ−ＵＴＲＡＮでＥ−ＵＴＲＡＮ  ＲＲＣ接続及びＲＲＣ  ｃｏｎｔｅｘｔを有し、ｅＮＢにデータを送信及び／またはｅＮＢからデータを受信することが可能である。また、端末は、ｅＮＢにチャネル品質情報及びフィードバック情報を報告することができる。ＲＲＣ＿ＣＯＮＮＥＣＴＥＤ状態で、Ｅ−ＵＴＲＡＮは、端末が属するセルを知ることができる。したがって、ネットワークは、端末にデータを送信及び／または端末からデータを受信することができ、ネットワークは、端末の移動性（ハンドオーバ及びＮＡＣＣ（ｎｅｔｗｏｒｋ  ａｓｓｉｓｔｅｄ  ｃｅｌｌ  ｃｈａｎｇｅ）を介したＧＥＲＡＮ（ＧＳＭ  ＥＤＧＥ  ｒａｄｉｏ  ａｃｃｅｓｓ  ｎｅｔｗｏｒｋ）にｉｎｔｅｒ−ＲＡＴ（ｒａｄｉｏ  ａｃｃｅｓｓ  ｔｅｃｈｎｏｌｏｇｙ）セル変更指示）を制御することができ、ネットワークは、隣接セルのためにセル測定を実行することができる。
【００４１】
ＲＲＣ＿ＩＤＬＥ状態で、端末は、ページングＤＲＸ周期を指定する。具体的に、端末は、端末特定ページングＤＲＸ周期毎の特定ページングオケージョン（ｐａｇｉｎｇ  ｏｃｃａｓｉｏｎ）にページング信号をモニタリングする。ページングオケージョンは、ページング信号が送信される間の時間間隔である。端末は、自分のみのページングオケージョンを有している。
【００４２】
ページングメッセージは、同じトラッキング領域に属する全てのセルにわたって送信される。もし、端末が一つのトラッキング領域から他の一つのトラッキング領域に移動すると、端末は、位置をアップデートするためにＴＡＵ（ｔｒａｃｋｉｎｇ  ａｒｅａ  ｕｐｄａｔｅ）メッセージをネットワークに送信する。
【００４３】
ユーザが端末の電源を最初オンにした時、まず、端末は、適切なセルを探索した後、該当セルでＲＲＣ＿ＩＤＬＥにとどまる。ＲＲＣ接続を確立する必要がある時、ＲＲＣ＿ＩＤＬＥ状態の端末は、ＲＲＣ接続手順を介してＥ−ＵＴＲＡＮのＲＲＣとＲＲＣ接続を確立してＲＲＣ＿ＣＯＮＮＥＣＴＥＤに遷移できる。ＲＲＣ＿ＩＤＬＥ状態の端末は、ユーザの通話試みなどの理由でアップリンクデータ送信が必要な時、またはＥ−ＵＴＲＡＮからページングメッセージを受信し、これに対する応答メッセージ送信が必要な時などにＥ−ＵＴＲＡＮとＲＲＣ接続を確立する必要がある。
【００４４】
ＮＡＳ階層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末とＭＭＥに適用される。初期端末は、ＥＭＭ−ＤＥＲＥＧＩＳＴＥＲＥＤ状態であり、この端末がネットワークに接続するために、初期連結（Ｉｎｉｔｉａｌ  Ａｔｔａｃｈ）手順を介して該当ネットワークに登録する過程を実行する。前記連結（Ａｔｔａｃｈ）手順が成功的に実行されると、端末及びＭＭＥは、ＥＭＭ−ＲＥＧＩＳＴＥＲＥＤ状態となる。
【００４５】
端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態となる。ＥＣＭ−ＩＤＬＥ状態にあるＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態となる。端末がＥＣＭ−ＩＤＬＥ状態にある時、Ｅ−ＵＴＲＡＮは、端末のｃｏｎｔｅｘｔ情報を有していない。したがって、ＥＣＭ−ＩＤＬＥ状態の端末は、ネットワークの命令を受ける必要無しで、セル選択（ｃｅｌｌ  ｓｅｌｅｃｔｉｏｎ）またはセル再選択（ｒｅｓｅｌｅｃｔｉｏｎ）のような端末ベースの移動性関連手順を実行する。それに対し、端末がＥＣＭ−ＣＯＮＮＥＣＴＥＤ状態にある時、端末の移動性は、ネットワークの命令により管理される。ＥＣＭ−ＩＤＬＥ状態で端末の位置が、ネットワークが知っている位置と変わる場合、端末は、トラッキング領域更新（Ｔｒａｃｋｉｎｇ  Ａｒｅａ  Ｕｐｄａｔｅ）手順を介してネットワークに端末の該当位置を知らせる。
【００４６】
以下、５Ｇネットワーク構造に対して説明する。
【００４７】
図４は、５Ｇシステムの構造を示す。
【００４８】
既存ＥＰＳ（Ｅｖｏｌｖｅｄ  Ｐａｃｋｅｔ  Ｓｙｓｔｅｍ）のコアネットワーク構造であるＥＰＣ（Ｅｖｏｌｖｅｄ  Ｐａｃｋｅｔ  Ｃｏｒｅ）の場合、ＭＭＥ（Ｍｏｂｉｌｉｔｙ  Ｍａｎａｇｅｍｅｎｔ  Ｅｎｔｉｔｙ）、Ｓ−ＧＷ（Ｓｅｒｖｉｎｇ  Ｇａｔｅｗａｙ）、Ｐ−ＧＷ（Ｐａｃｋｅｔ  Ｄａｔａ  Ｎｅｔｗｏｒｋ  Ｇａｔｅｗａｙ）等、エンティティ（ｅｎｔｉｔｙ）別に機能、参照点（ｒｅｆｅｒｅｎｃｅ  ｐｏｉｎｔ）、プロトコルなどが定義されている。
【００４９】
それに対し、５Ｇコアネットワーク（または、ＮｅｘｔＧｅｎコアネットワーク）の場合、ネットワーク機能（ＮＦ；Ｎｅｔｗｏｒｋ  Ｆｕｎｃｔｉｏｎ）別に機能、参照点、プロトコルなどが定義されている。即ち、５Ｇコアネットワークは、エンティティ別に機能、参照点、プロトコルなどが定義されない。
【００５０】
図４を参照すると、５Ｇシステム構造は、一つ以上の端末（ＵＥ）１０、ＮＧ−ＲＡＮ（Ｎｅｘｔ  Ｇｅｎｅｒａｔｉｏｎ−Ｒａｄｉｏ  Ａｃｃｅｓｓ  Ｎｅｔｗｏｒｋ）及びＮＧＣ（Ｎｅｘｔ  Ｇｅｎｅｒａｔｉｏｎ  Ｃｏｒｅ）を含む。
【００５１】
ＮＧ−ＲＡＮは、一つ以上のｇＮＢ４０を含むことができ、一つのセルに複数の端末が存在できる。ｇＮＢ４０は、制御平面（ｃｏｎｔｒｏｌ  ｐｌａｎｅ）とユーザ平面（ｕｓｅｒ  ｐｌａｎｅ）の終端点を端末に提供する。ｇＮＢ４０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｇＮＢ４０は、セル毎に配置される。ｇＮＢ４０のカバレッジ内に一つ以上のセルが存在できる。
【００５２】
ＮＧＣは、制御平面の機能を担当するＡＭＦ（Ａｃｃｅｓｓ  ａｎｄ  Ｍｏｂｉｌｉｔｙ  Ｆｕｎｃｔｉｏｎ）及びＳＭＦ（Ｓｅｓｓｉｏｎ  Ｍａｎａｇｅｍｅｎｔ  Ｆｕｎｃｔｉｏｎ）を含むことができる。ＡＭＦは、移動性管理機能を担当することができ、ＳＭＦは、セッション管理機能を担当することができる。ＮＧＣは、ユーザ平面の機能を担当するＵＰＦ（Ｕｓｅｒ  Ｐｌａｎｅ  Ｆｕｎｃｔｉｏｎ）を含むことができる。
【００５３】
ユーザトラフィック送信または制御トラフィック送信のためのインターフェースが使われる。端末１０及びｇＮＢ４０は、ＮＧ３インターフェースにより連結される。ｇＮＢ４０は、Ｘｎインターフェースにより相互間連結される。隣接ｇＮＢ４０は、Ｘｎインターフェースによる網型ネットワーク構造を有することができる。ｇＮＢ４０は、ＮＧインターフェースによりＮＧＣと連結される。ｇＮＢ４０は、ＮＧ−ＣインターフェースによりＡＭＦと連結され、ＮＧ−ＵインターフェースによりＵＰＦと連結される。ＮＧインターフェースは、ｇＮＢ４０とＭＭＥ／ＵＰＦ５０との間に多対多関係（ｍａｎｙ−ｔｏ−ｍａｎｙ−ｒｅｌａｔｉｏｎ）をサポートする。
【００５４】
ｇＮＢホストは、無線リソース管理に対する機能（Ｆｕｎｃｔｉｏｎｓ  ｆｏｒ  Ｒａｄｉｏ  Ｒｅｓｏｕｒｃｅ  Ｍａｎａｇｅｍｅｎｔ）、ＩＰヘッダ圧縮及びユーザデータストリームの暗号化（ＩＰ  ｈｅａｄｅｒ  ｃｏｍｐｒｅｓｓｉｏｎ  ａｎｄ  ｅｎｃｒｙｐｔｉｏｎ  ｏｆ  ｕｓｅｒ  ｄａｔａ  ｓｔｒｅａｍ）、ＡＭＦへのルーティングが端末により提供された情報から決定されることができない時、端末付着でＡＭＦの選択（Ｓｅｌｅｃｔｉｏｎ  ｏｆ  ａｎ  ＡＭＦ  ａｔ  ＵＥ  ａｔｔａｃｈｍｅｎｔ  ｗｈｅｎ  ｎｏ  ｒｏｕｔｉｎｇ  ｔｏ  ａｎ  ＡＭＦ  ｃａｎ  ｂｅ  ｄｅｔｅｒｍｉｎｅｄ  ｆｒｏｍ  ｔｈｅ  ｉｎｆｏｒｍａｔｉｏｎ  ｐｒｏｖｉｄｅｄ  ｂｙ  ｔｈｅ  ＵＥ）、一つ以上のＵＰＦに向かうユーザ平面データのルーティング（Ｒｏｕｔｉｎｇ  ｏｆ  Ｕｓｅｒ  Ｐｌａｎｅ  ｄａｔａ  ｔｏｗａｒｄｓ  ＵＰＦ（ｓ））、（ＡＭＦから由来した）ページングメッセージの送信及びスケジューリング（Ｓｃｈｅｄｕｌｉｎｇ  ａｎｄ  ｔｒａｎｓｍｉｓｓｉｏｎ  ｏｆ  ｐａｇｉｎｇ  ｍｅｓｓａｇｅｓ（ｏｒｉｇｉｎａｔｅｄ  ｆｒｏｍ  ｔｈｅ  ＡＭＦ））、（ＡＭＦまたはＯ＆Ｍから由来した）システム放送情報の送信及びスケジューリング（Ｓｃｈｅｄｕｌｉｎｇ  ａｎｄ  ｔｒａｎｓｍｉｓｓｉｏｎ  ｏｆ  ｓｙｓｔｅｍ  ｂｒｏａｄｃａｓｔ  ｉｎｆｏｒｍａｔｉｏｎ（ｏｒｉｇｉｎａｔｅｄ  ｆｒｏｍ  ｔｈｅ  ＡＭＦ  ｏｒ  Ｏ＆Ｍ））、またはスケジューリング及び移動性に対する測定報告設定及び測定（Ｍｅａｓｕｒｅｍｅｎｔ  ａｎｄ  ｍｅａｓｕｒｅｍｅｎｔ  ｒｅｐｏｒｔｉｎｇ  ｃｏｎｆｉｇｕｒａｔｉｏｎ  ｆｏｒ  ｍｏｂｉｌｉｔｙ  ａｎｄ  ｓｃｈｅｄｕｌｉｎｇ）のような機能を遂行することができる。
【００５５】
ＡＭＦ（Ａｃｃｅｓｓ  ａｎｄ  Ｍｏｂｉｌｉｔｙ  Ｆｕｎｃｔｉｏｎ）ホストは、ＮＡＳシグナリング終了（ＮＡＳ  ｓｉｇｎａｌｌｉｎｇ  ｔｅｒｍｉｎａｔｉｏｎ）、ＮＡＳシグナリングセキュリティ（ＮＡＳ  ｓｉｇｎａｌｌｉｎｇ  ｓｅｃｕｒｉｔｙ）、ＡＳセキュリティ制御（ＡＳ  Ｓｅｃｕｒｉｔｙ  ｃｏｎｔｒｏｌ）、３ＧＰＰアクセスネットワーク間の移動性のためのインターＣＮノードシグナリング（Ｉｎｔｅｒ  ＣＮ  ｎｏｄｅ  ｓｉｇｎａｌｌｉｎｇ  ｆｏｒ  ｍｏｂｉｌｉｔｙ  ｂｅｔｗｅｅｎ  ３ＧＰＰ  ａｃｃｅｓｓ  ｎｅｔｗｏｒｋｓ）、（ページング再送信の実行及び制御を含む）ＩＤＬＥモード端末到達可能性（Ｉｄｌｅ  ｍｏｄｅ  ＵＥ  Ｒｅａｃｈａｂｉｌｉｔｙ（ｉｎｃｌｕｄｉｎｇ  ｃｏｎｔｒｏｌ  ａｎｄ  ｅｘｅｃｕｔｉｏｎ  ｏｆ  ｐａｇｉｎｇ  ｒｅｔｒａｎｓｍｉｓｓｉｏｎ））、ＡＣＴＩＶＥモード及びＩＤＬＥモードにある端末に対するトラッキング領域リスト管理（Ｔｒａｃｋｉｎｇ  Ａｒｅａ  ｌｉｓｔ  ｍａｎａｇｅｍｅｎｔ（ｆｏｒ  ＵＥ  ｉｎ  ｉｄｌｅ  ａｎｄ  ａｃｔｉｖｅ  ｍｏｄｅ））、ＡＭＦ変更を伴うハンドオーバに対するＡＭＦ選択（ＡＭＦ  ｓｅｌｅｃｔｉｏｎ  ｆｏｒ  ｈａｎｄｏｖｅｒｓ  ｗｉｔｈ  ＡＭＦ  ｃｈａｎｇｅ）、アクセス認証（Ａｃｃｅｓｓ  Ａｕｔｈｅｎｔｉｃａｔｉｏｎ）、またはローミング権限の確認を含むアクセス承認（Ａｃｃｅｓｓ  Ａｕｔｈｏｒｉｚａｔｉｏｎ  ｉｎｃｌｕｄｉｎｇ  ｃｈｅｃｋ  ｏｆ  ｒｏａｍｉｎｇ  ｒｉｇｈｔｓ）のような主要機能を遂行することができる。
【００５６】
ＵＰＦ（Ｕｓｅｒ  Ｐｌａｎｅ  Ｆｕｎｃｔｉｏｎ）ホストは、（適用可能な場合）イントラ／インター−ＲＡＴ移動性のためのアンカーポイント（Ａｎｃｈｏｒ  ｐｏｉｎｔ  ｆｏｒ  Ｉｎｔｒａ−／Ｉｎｔｅｒ−ＲＡＴ  ｍｏｂｉｌｉｔｙ（ｗｈｅｎ  ａｐｐｌｉｃａｂｌｅ））、データネットワークに相互連結の外部ＰＤＵセッションポイント（Ｅｘｔｅｒｎａｌ  ＰＤＵ  ｓｅｓｓｉｏｎ  ｐｏｉｎｔ  ｏｆ  ｉｎｔｅｒｃｏｎｎｅｃｔ  ｔｏ  Ｄａｔａ  Ｎｅｔｗｏｒｋ）、パケットルーティング及びフォワーディング（Ｐａｃｋｅｔ  ｒｏｕｔｉｎｇ＆ｆｏｒｗａｒｄｉｎｇ）、パケット検査及び政策規則適用のユーザ平面パート（Ｐａｃｋｅｔ  ｉｎｓｐｅｃｔｉｏｎ  ａｎｄ  Ｕｓｅｒ  ｐｌａｎｅ  ｐａｒｔ  ｏｆ  Ｐｏｌｉｃｙ  ｒｕｌｅ  ｅｎｆｏｒｃｅｍｅｎｔ）、トラフィック使用報告（Ｔｒａｆｆｉｃ  ｕｓａｇｅ  ｒｅｐｏｒｔｉｎｇ）、データネットワークにトラフィック流れをルーティングすることをサポートするアップリンク分類子（Ｕｐｌｉｎｋ  ｃｌａｓｓｉｆｉｅｒ  ｔｏ  ｓｕｐｐｏｒｔ  ｒｏｕｔｉｎｇ  ｔｒａｆｆｉｃ  ｆｌｏｗｓ  ｔｏ  ａ  ｄａｔａ  ｎｅｔｗｏｒｋ）、マルチホームＰＤＵセッションをサポートする分岐点（Ｂｒａｎｃｈｉｎｇ  ｐｏｉｎｔ  ｔｏ  ｓｕｐｐｏｒｔ  ｍｕｌｔｉ−ｈｏｍｅｄ  ＰＤＵ  ｓｅｓｓｉｏｎ）、ユーザ平面に対するＱｏＳハンドリング、例えば、パケットフィルタリング、ゲーティング、ＵＬ／ＤＬ料金執行（ＱｏＳ  ｈａｎｄｌｉｎｇ  ｆｏｒ  ｕｓｅｒ  ｐｌａｎｅ、ｅ．ｇ．ｐａｃｋｅｔ  ｆｉｌｔｅｒｉｎｇ、ｇａｔｉｎｇ、ＵＬ／ＤＬ  ｒａｔｅ  ｅｎｆｏｒｃｅｍｅｎｔ）、アップリンクトラフィック確認（ＳＤＦでＱｏＳフローマッピングで）（Ｕｐｌｉｎｋ  Ｔｒａｆｆｉｃ  ｖｅｒｉｆｉｃａｔｉｏｎ（ＳＤＦ  ｔｏ  ＱｏＳ  ｆｌｏｗ  ｍａｐｐｉｎｇ））、ダウンリンク及びアップリンクでの送信レベルパケットマーキング（Ｔｒａｎｓｐｏｒｔ  ｌｅｖｅｌ  ｐａｃｋｅｔ  ｍａｒｋｉｎｇ  ｉｎ  ｔｈｅ  ｕｐｌｉｎｋ  ａｎｄ  ｄｏｗｎｌｉｎｋ）、またはダウンリンクパケットバッファリング及びダウンリンクデータ通知トリガリング（Ｄｏｗｎｌｉｎｋ  ｐａｃｋｅｔ  ｂｕｆｆｅｒｉｎｇ  ａｎｄ  ｄｏｗｎｌｉｎｋ  ｄａｔａ  ｎｏｔｉｆｉｃａｔｉｏｎ  ｔｒｉｇｇｅｒｉｎｇ）のような主要機能を遂行することができる。
【００５７】
ＳＭＦ（Ｓｅｓｓｉｏｎ  Ｍａｎａｇｅｍｅｎｔ  Ｆｕｎｃｔｉｏｎ）ホストは、セッション管理（Ｓｅｓｓｉｏｎ  Ｍａｎａｇｅｍｅｎｔ）、ＵＥ  ＩＰアドレス割当及び管理（ＵＥ  ＩＰ  ａｄｄｒｅｓｓ  ａｌｌｏｃａｔｉｏｎ  ａｎｄ  ｍａｎａｇｅｍｅｎｔ）、ＵＰ機能の選択及び制御（Ｓｅｌｅｃｔｉｏｎ  ａｎｄ  ｃｏｎｔｒｏｌ  ｏｆ  ＵＰ  ｆｕｎｃｔｉｏｎ）、トラフィックを適切な対象にしてルートするためにＵＰＦでトラフィック調整を構成（Ｃｏｎｆｉｇｕｒｅｓ  ｔｒａｆｆｉｃ  ｓｔｅｅｒｉｎｇ  ａｔ  ＵＰＦ  ｔｏ  ｒｏｕｔｅ  ｔｒａｆｆｉｃ  ｔｏ  ｐｒｏｐｅｒ  ｄｅｓｔｉｎａｔｉｏｎ）、ＱｏＳ及び政策執行の一部を制御（Ｃｏｎｔｒｏｌ  ｐａｒｔ  ｏｆ  ｐｏｌｉｃｙ  ｅｎｆｏｒｃｅｍｅｎｔ  ａｎｄ  ＱｏＳ）、またはダウンリンクデータ通知（Ｄｏｗｎｌｉｎｋ  Ｄａｔａ  Ｎｏｔｉｆｉｃａｔｉｏｎ）のような主要機能を遂行することができる。
【００５８】
以下、端末のＲＲＣ＿ＩＮＡＣＴＩＶＥ状態に対して説明する。
【００５９】
ＮＲ標準化議論で、既存のＲＲＣ＿ＣＯＮＮＥＴＥＤ状態及びＲＲＣ＿ＩＤＬＥ状態に付加的にＲＲＣ＿ＩＮＡＣＴＩＶＥ状態が新しく導入された。ＲＲＣ＿ＩＮＡＣＴＩＶＥ状態は、特定端末（例えば、ｍＭＴＣ端末）を効率的に管理するために導入された状態である。ＲＲＣ＿ＩＮＡＣＴＩＶＥ状態の端末は、電力消耗を減らすためにＲＲＣ＿ＩＤＬＥ状態の端末と類似する形態の無線制御手順を実行する。しかし、ＲＲＣ＿ＩＮＡＣＴＩＶＥ状態の端末は、ＲＲＣ＿ＣＯＮＮＥＣＴＥＤ状態に遷移する時に必要な制御手順を最小化するために、端末とネットワークの連結状態をＲＲＣ＿ＣＯＮＮＥＣＴＥＤ状態と類似するように維持する。ＲＲＣ＿ＩＮＡＣＴＩＶＥ状態で、無線接続リソースは解除されるが、有線接続は維持されることができる。例えば、ＲＲＣ＿ＩＮＡＣＴＩＶＥ状態で、無線接続リソースは解除されるが、ｇＮＢとＮＧＣとの間のＮＧインターフェースまたはｅＮＢとＥＰＣとの間のＳ１インターフェースは維持されることができる。ＲＲＣ＿ＩＮＡＣＴＩＶＥ状態で、コアネットワークは、端末が基地局と正常に連結されていると認知する。それに対し、基地局は、ＲＲＣ＿ＩＮＡＣＴＩＶＥ状態の端末に対して連結管理を実行しない。
【００６０】
軽く接続されたモードにある端末の場合、コアネットワークから状態遷移及び移動性を隠すために、ＭＭＥは、活性化された端末のＳ１連結を維持することができる。即ち、ＲＲＣ＿ＩＮＡＣＴＩＶＥ状態にある端末の場合、ＮＧＣ（Ｎｅｘｔ  Ｇｅｎｅｒａｔｉｏｎ  Ｃｏｒｅ）から状態遷移及び移動性を隠すために、ＡＭＦは、活性化された端末のＮＧ連結を維持することができる。本明細書において、ＲＲＣ＿ＩＮＡＣＴＩＶＥ状態は、軽く接続されたモード（ｌｉｇｈｔｌｙ  ｃｏｎｎｅｃｔｅｄ  ｍｏｄｅ）、軽量に接続されたモード（ｌｉｇｈｔｗｅｉｇｈｔ  ｃｏｎｎｅｃｔｅｄ  ｍｏｄｅ）または準接続モード（ｓｅｍｉ−ｃｏｎｎｅｃｔｅｄ  ｍｏｄｅ）などと類似する概念として使われることができる。
【００６１】
一方、ＣＮベースの通知領域（Ｃｏｒｅ  Ｎｅｔｗｏｒｋ  ｂａｓｅｄ  ｎｏｔｉｆｉｃａｔｉｏｎ  ａｒｅａ）のＩＤ（ａｒｅａ  ｉｄｅｎｔｉｔｙ）がＲＡＮベースの通知領域（ＲＡＮ  ｂａｓｅｄ  ｎｏｔｉｆｉｃａｔｉｏｎ  ａｒｅａ）を設定（ｃｏｎｆｉｇｕｒｅ）するために使われると、ＣＮベースの通知領域のＩＤは、非常に広い領域をカバーするため、ＲＡＮベースの通知領域を柔軟に設定できない。例えば、ＣＮベースの通知領域のＩＤは、トラッキング領域コード（Ｔｒａｃｋｉｎｇ  Ａｒｅａ  Ｃｏｄｅ）である。本明細書において、ＣＮベースの通知はＣＮページングを意味し、ＲＡＮベースの通知はＲＡＮページングを意味する。
【００６２】
それに対し、セルＩＤがＲＡＮベースの通知領域を設定するために使われると、ネットワークが端末特定ＲＡＮベースの通知領域を割り当てる時、数百個のセルを端末にシグナリングしなければならないため、好ましくない。したがって、ＲＡＮベースの通知領域を柔軟に設定するために新しいＩＤが導入される必要がある。以下、本発明の一実施例によって、新しいＩＤに基づいて設定されたＲＡＮベースの通知領域に対して説明し、特定セルがＲＡＮベースの通知領域に属するかどうかを決定する方法及びこれをサポートする装置に対して説明する。本明細書において、前記特定セルは、サービングセル（ｓｅｒｖｉｎｇ  ｃｅｌｌ）、隣接セル（ｎｅｉｇｈｂｏｒｉｎｇ  ｃｅｌｌ）またはターゲットセル（ｔａｒｇｅｔ  ｃｅｌｌ）のうち少なくともいずれか一つである。
【００６３】
図５は、本発明の一実施例によって、端末が、特定セルがＲＡＮベースの通知領域に属するかどうかを確認する手順を示す。
【００６４】
図５を参照すると、ステップＳ５１０において、端末は、ＲＡＮベースの通知領域に対する設定をネットワークから受信することができる。即ち、端末は、ＲＡＮページング領域に対する設定をネットワークから受信することができる。前記ＲＡＮベースの通知領域に対する設定は、複数のセルを含む領域のＩＤまたはセルＩＤのうち少なくともいずれか一つを含むことができる。前記複数のセルを含む領域のＩＤは、ＣＮベースの通知領域のＩＤを意味する。前記ＲＡＮベースの通知領域またはＲＡＮページング領域は、ＲＲＣ＿ＩＮＡＣＴＩＶＥ状態の端末または軽く接続された状態（ＬＩＧＨＴ＿ＣＯＮＮＥＣＴＥＤ  ｓｔａｔｅ）の端末に対して適用されることができる。
【００６５】
ステップＳ５２０において、端末は、セル再選択手順を実行することができる。それによって、端末は、サービングセルを変更することができる。
【００６６】
ステップＳ５３０において、端末は、システム情報を前記サービングセルから受信することができる。前記システム情報は、前記サービングセルのＩＤ及び前記サービングセルを含む領域のＩＤを含むことができる。例えば、前記サービングセルを含む領域のＩＤは、前記サービングセルが属する領域のＩＤである。例えば、前記サービングセルを含む領域のＩＤは、前記サービングセルが属するＣＮベースの通知領域のＩＤである。例えば、前記サービングセルを含む領域のＩＤは、前記サービングセルが属するページング領域のコードである。
【００６７】
その代案として、端末は、ステップＳ５２０のセル再選択手順を実行する以前にシステム情報を隣接セルから受信することができる。前記システム情報は、前記隣接セルのＩＤ及び前記隣接セルを含む領域のＩＤを含むことができる。例えば、前記隣接セルを含む領域のＩＤは、前記隣接セルが属する領域のＩＤである。例えば、前記隣接セルを含む領域のＩＤは、前記隣接セルが属するＣＮベースの通知領域のＩＤである。例えば、前記隣接セルを含む領域のＩＤは、前記隣接セルが属するページング領域のコードである。
【００６８】
その代案として、端末は、ステップＳ５２０のセル再選択手順を実行する以前にシステム情報をターゲットセルから受信することができる。前記システム情報は、前記ターゲットセルのＩＤ及び前記ターゲットセルを含む領域のＩＤを含むことができる。例えば、前記ターゲットセルを含む領域のＩＤは、前記ターゲットセルが属する領域のＩＤである。例えば、前記ターゲットセルを含む領域のＩＤは、前記ターゲットセルが属するＣＮベースの通知領域のＩＤである。例えば、前記ターゲットセルを含む領域のＩＤは、前記ターゲットセルが属するページング領域のコードである。
【００６９】
ステップＳ５４０において、端末は、特定セルが設定されたＲＡＮベースの通知領域に属するかどうかを確認することができる。前記特定セルは、サービングセル（ｓｅｒｖｉｎｇ  ｃｅｌｌ）、隣接セル（ｎｅｉｇｈｂｏｒｉｎｇ  ｃｅｌｌ）またはターゲットセル（ｔａｒｇｅｔ  ｃｅｌｌ）のうち少なくともいずれか一つである。
【００７０】
例えば、前記特定セルから受信されたシステム情報に含まれている前記特定セルのＩＤまたは前記特定セルを含む領域のＩＤのうち少なくともいずれか一つが前記ＲＡＮベースの通知領域に対する設定に含まれる場合、端末は、前記特定セルが前記ＲＡＮベースの通知領域に属すると見なすことができる。そうでない場合、端末は、前記特定セルが前記ＲＡＮベースの通知領域に属しないと見なすことができる。
【００７１】
その代案として、例えば、前記特定セルから受信されたシステム情報に含まれている前記特定セルのＩＤ及び前記特定セルを含む領域のＩＤの両方ともが前記ＲＡＮベースの通知領域に対する設定に含まれる場合、端末は、前記特定セルが前記ＲＡＮベースの通知領域に属すると見なすことができる。そうでない場合、端末は、前記特定セルが前記ＲＡＮベースの通知領域に属しないと見なすことができる。
【００７２】
ステップＳ５５０において、端末が、前記特定セルが前記ＲＡＮベースの通知領域に属しないと見なす場合、端末は、ＲＡＮベースの通知領域アップデート手順（ＲＡＮ  ｂａｓｅｄ  ｎｏｔｉｆｉｃａｔｉｏｎ  ａｒｅａ  ｕｐｄａｔｅ  ｐｒｏｃｅｄｕｒｅ）を実行することができる。端末は、前記端末がＲＡＮベースの通知領域から外れたことをネットワークに知らせることができる。
【００７３】
図６は、本発明の一実施例によって、端末が、特定セルがＲＡＮベースの通知領域に属するかどうかを確認する手順を説明するための図面である。
【００７４】
図６を参照すると、セル３にキャンプオンしている端末は、ＲＡＮベースの通知領域の設定を受けることができる。そして、前記ＲＡＮベースの通知領域は、１１個のセルで構成されると仮定する。即ち、前記ＲＡＮベースの通知領域は、セル３乃至セル１３で構成されると仮定する。ＲＡＮベースの通知領域に対する設定は、複数のセルを含む領域のＩＤ及びセルＩＤを含むことができる。
【００７５】
セル３乃至セル１３で構成されるＲＡＮベースの通知領域は、表１のように設定されることができる。
【００７６】
【表１】
2019534654.tif 000003
【００７７】
表１を参照すると、複数のセルを含む領域の全てがＲＡＮベースの通知領域に含まれる場合にのみ、複数のセルを含む領域のＩＤがＲＡＮベースの通知領域に対する設定に含まれることができる。それに対し、複数のセルを含む領域のうち一部セルのみがＲＡＮベースの通知領域に含まれる場合は、複数のセルを含む領域のＩＤがＲＡＮベースの通知領域に対する設定に含まれずに、ＲＡＮベースの通知領域に含まれる一部セルのＩＤがＲＡＮベースの通知領域に対する設定に含まれることができる。以下、説明の便宜のために、表１のように定義されたＲＡＮベースの通知領域に対する設定をオプション１という。
【００７８】
その代案として、セル３乃至セル１３で構成されるＲＡＮベースの通知領域は、表２のように設定されることができる。
【００７９】
【表２】
2019534654.tif 000004
【００８０】
表２を参照すると、複数のセルを含む領域のうち一部セルのみがＲＡＮベースの通知領域に含まれる場合にも、複数のセルを含む領域のＩＤがＲＡＮベースの通知領域に対する設定に含まれることができ、付加的にＲＡＮベースの通知領域に含まれる一部セルのＩＤがＲＡＮベースの通知領域に対する設定に含まれることができる。複数のセルを含む領域のＩＤがＲＡＮベースの通知領域に対する設定に含まれ、セルＩＤがＲＡＮベースの通知領域に対する設定に含まれない場合、端末は、複数のセルを含む領域に属する全てのセルをＲＡＮベースの通知領域の一部と見なすことができる。それに対し、複数のセルを含む領域のＩＤがＲＡＮベースの通知領域に対する設定に含まれ、セルＩＤがＲＡＮベースの通知領域に対する設定に付加的に含まれる場合、端末は、複数のセルを含む領域に属するセルの中からリストされたセルＩＤに対応するセルのみをＲＡＮベースの通知領域の一部と見なすことができる。以下、説明の便宜のために、表２のように定義されたＲＡＮベースの通知領域に対する設定をオプション２という。
【００８１】
（１）オプション１
【００８２】
図６を参照すると、セル３で表１のＲＡＮベースの通知領域の設定を受けた端末は、複数のセルを含む領域Ｂ、複数のセルを含む領域Ｃ、複数のセルを含む領域Ｄ、セル３及びセル１３がＲＡＮベースの通知領域に含まれると見なすことができる。
【００８３】
以後、セル４に移動した端末は、セル４を再選択し、セル４にキャンプオンできる。端末は、システム情報をセル４から受信することができる。前記システム情報は、複数のセルを含む領域ＢのＩＤ及びセル４のＩＤを含むことができる。複数のセルを含む領域ＢのＩＤが表１のＲＡＮベースの通知領域に対する設定にリストされているため、端末は、新しいサービングセル４がＲＡＮベースの通知領域に属すると見なすことができる。
【００８４】
以後、セル１３に移動した端末は、セル１３を再選択し、セル１３にキャンプオンできる。端末は、システム情報をセル１３から受信することができる。前記システム情報は、複数のセルを含む領域ＥのＩＤ及びセル１３のＩＤを含むことができる。セル１３のＩＤが表１のＲＡＮベースの通知領域に対する設定にリストされているため、端末は、新しいサービングセル１３がＲＡＮベースの通知領域に属すると見なすことができる。
【００８５】
以後、セル１４に移動した端末は、セル１４を再選択し、セル１４にキャンプオンできる。端末は、システム情報をセル１４から受信することができる。前記システム情報は、複数のセルを含む領域ＥのＩＤ及びセル１４のＩＤを含むことができる。複数のセルを含む領域ＢのＩＤ及びセル１４のＩＤの両方ともが表１のＲＡＮベースの通知領域に対する設定にリストされていないため、端末は、新しいサービングセル１４がＲＡＮベースの通知領域に属しないと見なすことができる。そして、端末は、ＲＡＮベースの通知領域アップデート手順を実行することができる。
【００８６】
オプション１の場合、システム情報に含まれている特定セルのＩＤまたは特定セルを含む領域のＩＤのうち少なくともいずれか一つのみがＲＡＮベースの通知領域に対する設定に含まれる場合、端末は、前記特定セルが前記ＲＡＮベースの通知領域に属すると見なすことができる。即ち、システム情報に含まれている特定セルのＩＤ及び特定セルを含む領域のＩＤの両方ともがＲＡＮベースの通知領域に対する設定に含まれない場合、端末は、前記特定セルが前記ＲＡＮベースの通知領域に属しないと見なすことができる。
【００８７】
（２）オプション２
【００８８】
図６を参照すると、セル３で表２のＲＡＮベースの通知領域の設定を受けた端末は、複数のセルを含む領域Ｂ、複数のセルを含む領域Ｃ、複数のセルを含む領域Ｄ、セル３及びセル１３がＲＡＮベースの通知領域に含まれると見なすことができる。
【００８９】
以後、セル４に移動した端末は、セル４を再選択し、セル４にキャンプオンできる。端末は、システム情報をセル４から受信することができる。前記システム情報は、複数のセルを含む領域ＢのＩＤ及びセル４のＩＤを含むことができる。複数のセルを含む領域ＢのＩＤが表２のＲＡＮベースの通知領域に対する設定にリストされており、複数のセルを含む領域ＢのＩＤにマッピングされるセルＩＤが存在しないため、端末は、新しいサービングセル４がＲＡＮベースの通知領域に属すると見なすことができる。
【００９０】
以後、セル１３に移動した端末は、セル１３を再選択し、セル１３にキャンプオンできる。端末は、システム情報をセル１３から受信することができる。前記システム情報は、複数のセルを含む領域ＥのＩＤ及びセル１３のＩＤを含むことができる。複数のセルを含む領域ＥのＩＤ及びセル１３のＩＤの両方ともが表２のＲＡＮベースの通知領域に対する設定にリストされているため、端末は、新しいサービングセル１３がＲＡＮベースの通知領域に属すると見なすことができる。
【００９１】
以後、セル１４に移動した端末は、セル１４を再選択し、セル１４にキャンプオンできる。端末は、システム情報をセル１４から受信することができる。前記システム情報は、複数のセルを含む領域ＥのＩＤ及びセル１４のＩＤを含むことができる。複数のセルを含む領域ＢのＩＤは、表２のＲＡＮベースの通知領域に対する設定にリストされており、セル１４のＩＤは、表２のＲＡＮベースの通知領域に対する設定にリストされていないため、端末は、新しいサービングセル１４がＲＡＮベースの通知領域に属しないと見なすことができる。そして、端末は、ＲＡＮベースの通知領域アップデート手順を実行することができる。
【００９２】
オプション２の場合、前記ＲＡＮベースの通知領域に対する設定が複数のセルを含む領域のＩＤ及び前記領域に属するセルＩＤの両方ともを含む場合、端末は、システム情報に含まれている特定セルのＩＤ及び特定セルを含む領域のＩＤの両方ともがＲＡＮベースの通知領域に対する設定に含まれる場合にのみ前記特定セルが前記ＲＡＮベースの通知領域に属すると見なすことができる。
【００９３】
図７は、本発明の一実施例によって、端末が、特定セルがＲＡＮベースの通知領域に属するかどうかを決定する方法を示すブロック図である。
【００９４】
図７を参照すると、ステップＳ７１０において、端末は、複数のセルを含む領域のＩＤまたはセルＩＤのうち少なくともいずれか一つを含むＲＡＮベースの通知領域に対する設定（ｃｏｎｆｉｇｕｒａｔｉｏｎ）をネットワークから受信することができる。前記複数のセルを含む領域は、ＣＮベースの通知領域（ｃｏｒｅ  ｎｅｔｗｏｒｋ  ｂａｓｅｄ  ｎｏｔｉｆｉｃａｔｉｏｎ  ａｒｅａ）である。前記端末は、ＲＲＣ＿ＩＮＡＣＴＩＶＥ状態である。
【００９５】
ステップＳ７２０において、端末は、前記特定セルのＩＤ及び前記特定セルを含む領域のＩＤを含むシステム情報（ｓｙｓｔｅｍ  ｉｎｆｏｒｍａｔｉｏｎ）を前記特定セルから受信することができる。前記端末が前記特定セルでセル再選択（ｃｅｌｌ  ｒｅｓｅｌｅｃｔｉｏｎ）を実行する場合、前記システム情報は、前記特定セルから受信されることができる。その代案として、前記端末が前記特定セルでセル再選択を実行する以前に、前記システム情報は、前記特定セルから受信されることができる。前記特定セルは、サービングセル（ｓｅｒｖｉｎｇ  ｃｅｌｌ）、隣接セル（ｎｅｉｇｈｂｏｒｉｎｇ  ｃｅｌｌ）またはターゲットセル（ｔａｒｇｅｔ  ｃｅｌｌ）のうち少なくともいずれか一つである。
【００９６】
ステップＳ７３０において、端末は、前記ＲＡＮベースの通知領域に対する設定及び前記システム情報に基づいて、前記特定セルが前記ＲＡＮベースの通知領域に属するかどうかを決定することができる。
【００９７】
前記システム情報に含まれている前記特定セルのＩＤまたは前記特定セルを含む領域のＩＤのうち少なくともいずれか一つが前記ＲＡＮベースの通知領域に対する設定に含まれる場合、前記特定セルは、前記ＲＡＮベースの通知領域に属すると決定されることができる。
【００９８】
前記システム情報に含まれている前記特定セルのＩＤ及び前記特定セルを含む領域のＩＤが前記ＲＡＮベースの通知領域に対する設定に含まれない場合、前記特定セルは、前記ＲＡＮベースの通知領域に属しないと決定されることができる。この場合、端末は、ＲＡＮベースの通知領域アップデート手順（ＲＡＮ  ｂａｓｅｄ  ｎｏｔｉｆｉｃａｔｉｏｎ  ａｒｅａ  ｕｐｄａｔｅ  ｐｒｏｃｅｄｕｒｅ）を開始することができる。そして、端末は、前記ＲＡＮベースの通知領域に属しないことを前記ネットワークに知らせることができる。
【００９９】
前記ＲＡＮベースの通知領域に対する設定が前記複数のセルを含む領域のＩＤ及び前記領域に属するセルＩＤを含み、前記システム情報に含まれている前記特定セルのＩＤ及び前記特定セルを含む領域のＩＤが前記ＲＡＮベースの通知領域に対する設定に含まれる場合、前記特定セルは、前記ＲＡＮベースの通知領域に属すると決定されることができる。
【０１００】
前記ＲＡＮベースの通知領域に対する設定が前記複数のセルを含む領域のＩＤ及び前記領域に属するセルＩＤを含み、前記システム情報に含まれている前記特定セルのＩＤまたは前記特定セルを含む領域のＩＤのうち少なくともいずれか一つが前記ＲＡＮベースの通知領域に対する設定に含まれない場合、前記特定セルは、前記ＲＡＮベースの通知領域に属しないと決定されることができる。
【０１０１】
図８は、本発明の実施例が具現される無線通信システムのブロック図である。
【０１０２】
基地局８００は、プロセッサ（ｐｒｏｃｅｓｓｏｒ）８０１、メモリ（ｍｅｍｏｒｙ）８０２及び送受信機（ｔｒａｎｓｃｅｉｖｅｒ）８０３を含む。メモリ８０２は、プロセッサ８０１と連結され、プロセッサ８０１を駆動するための多様な情報を格納する。送受信機８０３は、プロセッサ８０１と連結され、無線信号を送信及び／または受信する。プロセッサ８０１は、提案された機能、過程及び／または方法を具現する。前述した実施例において、基地局の動作は、プロセッサ８０１により具現されることができる。
【０１０３】
端末８１０は、プロセッサ８１１、メモリ８１２及び送受信機８１３を含む。メモリ８１２は、プロセッサ８１１と連結され、プロセッサ８１１を駆動するための多様な情報を格納する。送受信機８１３は、プロセッサ８１１と連結され、無線信号を送信及び／または受信する。プロセッサ８１１は、提案された機能、過程及び／または方法を具現する。前述した実施例において、端末の動作は、プロセッサ８１１により具現されることができる。
【０１０４】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０１０５】
前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で具現され、または異なるステップやブロックと同時に実行されることが可能である。また、通常の技術者であれば、各ステップやブロックが限定的に記述されたものではなく、発明の保護範囲に影響を与えない範囲内で少なくとも一つの他のステップが追加されたり削除されたりすることが可能であるということを知ることができる。
【０１０６】
前述した実施例は、多様な一例を含む。通常の技術者であれば、発明の全ての可能な一例の組み合わせが説明されることができないという点を知ることができ、また、本明細書の技術から多様な組み合わせが派生することができるという点を知ることができる。したがって、発明の保護範囲は、請求の範囲に記載された範囲を外れない範囲内で、詳細な説明に記載された多様な一例を組み合わせて判断しなければならない。
【図１】
2019534654.tif 000005
【図２】
2019534654.tif 000006
【図３】
2019534654.tif 000007
【図４】
2019534654.tif 000008
【図５】
2019534654.tif 000009
【図６】
2019534654.tif 000010
【図７】
2019534654.tif 000011
【図８】
2019534654.tif 000012
【国際調査報告】
2019534654.tif 000013
2019534654.tif 000014
2019534654.tif 000015
2019534654.tif 000016